(57)【要約】本発明は以下の工程により電子商取引を実行するための方法に関する。トランザクションのためのトランザクションデータを規定するために、第１のネットワーク加入者ノード（１）と第２のネットワーク加入者ノード（２）との間のデータ交換が第１のネットワーク加入者ノード（１）における第１の端末（１ａ）により第１の通信ネットワークを介して実行され；第１のネットワーク加入者ノード（１）の第２の端末（１ｂ）の識別番号が、第１のネットワーク加入者ノード（１）の第１の端末（１ａ）における第１のネットワーク加入者ノード（１）により、第１の通信ネットワークとは異なる第２の通信ネットワークに入力され；第１のネットワーク加入者ノード（１）からの識別番号及びトランザクションデータが第３のネットワーク加入者ノード（３）へ第３の通信ネットワークによって送信され；識別番号の有効性が第３のネットワーク加入者ノード（３）によって検証され（Ｓ３）、関連のサービスプロバイダノード（４ｃ）が第３のネットワーク加入者ノード（３）によって登録された複数のサービスプロバイダノード（４ａ，４ｂ，４ｃ，４ｄ）を識別し（Ｓ３）；第３のネットワーク加入者ノード（３）の検証された識別番号及びトランザクションデータが第４の通信ネットワークを介して関連のサービスプロバイダノード（４ｃ）へ送信され；送信されたトランザクションデータにより規定されるクレジットが、第２のネットワーク加入者ノード（２）の関連のサービスプロバイダノード（４ｃ）に予約され、予約されるクレジットは関連のプロバイダノード（４ｃ）により第３のネットワーク加入者ノード（３）へ第４の通信ネットワークを介して追認され；トランザクション番号が生成されて第３のネットワーク加入者ノード（３）から第１のネットワーク加入者ノード（１）における第２の端末（１ｂ）へ第２の通信ネットワークを介して送信され；送信されたトランザクション番号が第１のネットワーク加入者ノード（１）における第１の端末（１ａ）へ入力され、入力されたトランザクション番号が第３のネットワーク加入者ノード（３）へ第３の通信ネットワークを介して送信され（Ｓ７，Ｓ８；Ｓ７’）；送信されたトランザクション番号が、第３のネットワーク加入者ノード（３）により、第３のネットワーク加入者ノードによって先に生成されたトランザクション番号と比較することによって検証され；関連のサービスプロバイダノード（４ｃ）によって予約されたクレジットが、第３のネットワーク加入者ノード（３）により第２のネットワーク加入者ノード（２）へ第３の通信ネットワークを介して追認される。
2007506168.tif 000002
【特許請求の範囲】
【請求項１】
トランザクションのためのトランザクションデータを規定するために、第１のネットワーク加入者ノード（１）と第２のネットワーク加入者ノード（２）との間で第１のネットワーク加入者ノード（１）における第１の端末（１ａ）により第１の通信ネットワークを介してデータ交換が実行され（Ｓ１）、
前記第１の通信ネットワークとは異なる第２の通信ネットワーク内の前記第１のネットワーク加入者ノード（１）における第２の端末（１ｂ）の識別番号が、前記第１のネットワーク加入者ノード（１）における第１の端末（１ａ）へ前記第１のネットワーク加入者ノード（１）により入力され、
前記識別番号及び前記トランザクションデータが、第１のネットワーク加入者ノード（１）から第３のネットワーク加入者ノード（３）へ第３の通信ネットワークを介して送信され（Ｓ１，Ｓ２；Ｓ１’）、
前記識別番号の有効性が前記第３のネットワーク加入者ノード（３）によって検証され（Ｓ３）、前記第３のネットワーク加入者ノード（３）に登録されている複数のサービスプロバイダノード（４ａ，４ｂ，４ｃ，４ｄ）からの関連のサービスプロバイダノード（４ｃ）が前記識別番号を使用して識別され（Ｓ３）、
前記検証された識別番号及び前記トランザクションデータが、第３のネットワーク加入者ノード（３）から前記関連のサービスプロバイダノード（４ｃ）へ第４の通信ネットワークを介して送信され（Ｓ４）、
前記送信されたトランザクションデータにより規定されるクレジットが、前記第１のネットワーク加入者ノード（１）におけるアカウントの借方記入によって前記第２のネットワーク加入者ノード（２）の関連のサービスプロバイダノード（４ｃ）において予約されること（Ｓ４ａ）を含み、前記アカウントは前記識別番号の関連のサービスプロバイダノード（４ｃ）で管理され、前記予約されるクレジットは前記関連のプロバイダノード（４ｃ）により前記第３のネットワーク加入者ノード（３）へ前記第４の通信ネットワークを介して追認され（Ｓ５）、
トランザクション番号が生成され（Ｓ６）、前記トランザクション番号が前記第３のネットワーク加入者ノード（３）から前記第１のネットワーク加入者ノード（１）における第２の端末（１ｂ）へ前記第２の通信ネットワークを介して送信され（Ｓ６）、
前記送信されたトランザクション番号が前記第１のネットワーク加入者ノード（１）における第１の端末（１ａ）へ入力され（Ｓ７）、前記入力されたトランザクション番号が前記第３のネットワーク加入者ノード（３）へ前記第３の通信ネットワークを介して送信され（Ｓ７，Ｓ８；Ｓ７’）、
前記送信されたトランザクション番号が、前記第３のネットワーク加入者ノード（３）により、前記第３のネットワーク加入者ノードによって先に生成されたトランザクション番号と比較することによって検証され（Ｓ９）、
前記関連のサービスプロバイダノード（４ｃ）によって予約されたクレジットが、前記第３のネットワーク加入者ノード（３）により前記第２のネットワーク加入者ノード（２）へ前記第３の通信ネットワークを介して追認されること（Ｓ１０）を含む、電子商取引を実行するための方法。
【請求項２】
トランザクションのためのトランザクションデータを規定するために、第１のネットワーク加入者ノード（１）と第２のネットワーク加入者ノード（２）との間で第１のネットワーク加入者ノード（１）における第１の端末（１ａ）を使用して第１の通信ネットワークを介してデータ交換が実行され（Ｓ１）、
前記第１の通信ネットワークとは異なる第２の通信ネットワーク内の前記第１のネットワーク加入者ノード（１）における第２の端末（１ｂ）の識別番号が、前記第１のネットワーク加入者ノード（１）における第１の端末（１ａ）へ前記第１のネットワーク加入者ノード（１）により入力され、
前記識別番号及び前記トランザクションデータが、第１のネットワーク加入者ノード（１）から第３のネットワーク加入者ノード（３）へ第３の通信ネットワークを介して送信され（Ｓ１，Ｓ２）、
前記識別番号の有効性が前記第３のネットワーク加入者ノード（３）によって検証され（Ｓ３）、前記第３のネットワーク加入者ノード（３）に登録されている複数のサービスプロバイダノード（４ａ，４ｂ，４ｃ，４ｄ）からの関連のサービスプロバイダノード（４ａ）が前記識別番号を使用して識別され、
前記検証された識別番号及び前記トランザクションデータが、第３のネットワーク加入者ノード（３）から前記関連のサービスプロバイダノード（４ａ）へ第４の通信ネットワークを介して送信され（Ｓ４’）、
前記送信されたトランザクションデータにより規定されるクレジットが、前記第１のネットワーク加入者ノード（１）におけるアカウントの借方記入によって前記第２のネットワーク加入者ノード（２）の関連のサービスプロバイダノード（４ａ）において予約されること（Ｓ４’ａ）を含み、前記アカウントが前記識別番号の関連のサービスプロバイダノード（４ａ）で管理され、前記予約されるクレジットが前記関連のプロバイダノード（４ａ）により前記第３のネットワーク加入者ノード（３）へ前記第４の通信ネットワークを介して追認され（Ｓ５’）、
トランザクション番号が生成され（Ｓ６’）、前記トランザクション番号が前記関連のサービスプロバイダノード（４ａ）から前記第１のネットワーク加入者ノード（１）における第２の端末（１ｂ）へ前記第２の通信ネットワークを介して送信され（Ｓ６’）、
前記送信されたトランザクション番号が前記第１のネットワーク加入者ノード（１）における第１の端末（１ａ）へ入力され（Ｓ７）、前記入力されたトランザクション番号が前記第３のネットワーク加入者ノード（３）へ前記第３の通信ネットワークを介して送信され（Ｓ７，Ｓ８’ａ）、
前記送信されたトランザクション番号が前記第３のネットワーク加入者ノード（３）から前記関連のサービスプロバイダノード（４ａ）へ前記第４の通信ネットワークを介して転送され（Ｓ８’ｂ）、
前記送信されたトランザクション番号が、前記関連のサービスプロバイダノード（４ａ）により、前記関連のサービスプロバイダノードによって先に生成されたトランザクション番号と比較することによって検証され（Ｓ９’）、
前記検証されたトランザクション番号は前記関連のサービスプロバイダノード（４ａ）により前記第３のネットワーク加入者ノード（３）へ前記第４の通信ネットワークを介して追認され（Ｓ１０’ａ）、
前記関連のサービスプロバイダノード（４ｃ）によって予約されたクレジットは前記第３のネットワーク加入者ノード（３）により前記第２のネットワーク加入者ノード（２）へ前記第３の通信ネットワークを介して追認されること（Ｓ１０’ｂ）を含む、電子商取引を実行するための方法。
【請求項３】
前記トランザクションの終結は前記第２のネットワーク加入者ノード（２）により前記第３のネットワーク加入者ノード（３）へ前記第３の通信ネットワークを介して追認され（Ｓ１１）、
前記トランザクションの終結は前記第３のネットワーク加入者ノード（３）により前記関連のサービスプロバイダノード（４ａ；４ｃ）へ前記第４の通信ネットワークを介して追認されること（Ｓ１２；Ｓ１２’）を特徴とする請求項１または２記載の方法。
【請求項４】
前記識別番号及び前記トランザクションデータは送信され（Ｓ１，Ｓ２；Ｓ１’）、及び／または前記入力されたトランザクション番号は前記第１のネットワーク加入者ノード（１）から前記第３のネットワーク加入者ノード（３）へ前記第２のネットワーク加入者ノード（２）を介して間接的に送信される（Ｓ７，Ｓ８；Ｓ７’）ことを特徴とする請求項１、２または３記載の方法。
【請求項５】
前記識別番号及び前記トランザクションデータは送信され（Ｓ１，Ｓ２；Ｓ１’）、及び／または前記入力されたトランザクション番号は前記第１のネットワーク加入者ノード（１）から前記第３のネットワーク加入者ノード（３）へ直接送信される（Ｓ７，Ｓ８；Ｓ７’）ことを特徴とする請求項１、２または３記載の方法。
【請求項６】
前記トランザクションデータは購入価格及びプロダクツ仕様を含むことを特徴とする先行する請求項のうちの少なくとも１つの請求項記載の方法。
【請求項７】
前記第２の通信ネットワークは移動無線ネットワークまたは地上線電話ネットワークであり、前記識別番号は移動無線番号または地上線電話番号であることを特徴とする先行する請求項のうちの少なくとも１つの請求項記載の方法。
【請求項８】
前記第１及び／または第３の通信ネットワークはインターネットであることを特徴とする先行する請求項のうちの少なくとも１つの請求項記載の方法。
【請求項９】
前記第４の通信ネットワークは地上線電話ネットワークであることを特徴とする先行する請求項のうちの少なくとも１つの請求項記載の方法。
【請求項１０】
前記トランザクション番号は一回限りの有効性及び／または有効期限を有することを特徴とする先行する請求項のうちの少なくとも１つの請求項記載の方法。
【請求項１１】
前記トランザクション番号の検証（Ｓ３）または前記予約または検証（Ｓ９；Ｓ９’）の追認（Ｓ５；Ｓ５’）に失敗すると、前記第３のネットワーク加入者ノード（３）は前記第２のネットワーク加入者ノード（２）へ前記第３の通信ネットワークを介してエラーメッセージを送信することを特徴とする先行する請求項のうちの少なくとも１つの請求項記載の方法。
【請求項１２】
前記検証（Ｓ３）及び識別はテーブルファイルとの電子比較によって実行されることを特徴とする先行する請求項のうちの少なくとも１つの請求項記載の方法。
【請求項１３】
前記追認（Ｓ１２；Ｓ１２’）が所定の期限内に発生しなければ、前記予約されたクレジットは削除されることを特徴とする先行する請求項のうちの少なくとも１つの請求項記載の方法。
【請求項１４】
前記予約は前記第１のネットワーク加入者ノード（１）におけるアカウントの借方記入によって実行され、前記アカウントは前記関連のサービスプロバイダノード（４ｃ；４ａ）によって管理されることを特徴とする先行する請求項のうちの少なくとも１つの請求項記載の方法。
【請求項１５】
前記トランザクション番号の検証（Ｓ９；Ｓ９’）または前記追認（Ｓ１１）に失敗すると、前記第３のネットワーク加入者ノード（３）は前記予約されたクレジットを削除するために前記追認（Ｓ１２；Ｓ１２’）の代わりに前記関連のサービスプロバイダノード（４ｃ；４ａ）へ前記第４の通信ネットワークを介してエラーメッセージを送信することを特徴とする先行する請求項のうちの少なくとも１つの請求項記載の方法。
【請求項１６】
前記予約（Ｓ４ａ；Ｓ４ａ’）は前記関連のサービスプロバイダノード（４ｃ；４ａ）における信用格付けチェックを基礎として実行されることを特徴とする先行する請求項のうちの少なくとも１つの請求項記載の方法。
【請求項１７】
前記検証（Ｓ３）及び識別（Ｓ３）または追認（Ｓ１０；Ｓ１０’ｂ）に失敗すると、前記第２のネットワーク加入者ノード（２）は前記第１のネットワーク加入者ノード（１）に対し、前記第３のネットワーク加入者ノード（３）からの限定回数の再入力を要請することを特徴とする先行する請求項のうちの少なくとも１つの請求項記載の方法。
【請求項１８】
前記トランザクション番号はＳＭＳによって送信されることを特徴とする先行する請求項４から１４のうちの少なくとも１つの請求項記載の方法。
【請求項１９】
前記第１のネットワーク加入者ノード（１）はエンドユーザノードであり、前記第２のネットワーク加入者ノード（２）はプロバイダノードであり、前記第３のネットワーク加入者ノード（３）はコーディネータノードであり、前記サービスプロバイダノード（４ａ，４ｂ，４ｃ，４ｄ）は移動無線プロバイダノードであることを特徴とする先行する請求項のうちの少なくとも１つの請求項記載の方法。
【発明の詳細な説明】
【技術分野】
【０００１】
本発明は電子商取引を実行するための方法に関する。
【背景技術】
【０００２】
本発明はどのようなトランザクションまたはオペレーション及びネットワークにも適用可能であるが、ここではインターネット上での決済オペレーションに関連して本発明及びその基本的課題を説明する。
【０００３】
周知のように、インターネットユーザはしばしば、インターネットプロバイダからの有料のインターネットページまたは商品及び／またはサービスに対する支払いを現金を使用せずにオンラインで行いたいという問題に遭遇する。このためには、特には総額約１０．００ユーロまでについて、インターネット上でクレジットカード、バンクコレクションカードまたは付加価値サービスの電話番号（０１９０、０９００等）として知られるものを使用するプリペイドカードにより電子決済を行なうことが既知の慣例である。このプロセスに関しては、暗号化方法、認証対策及び銀行における取り消しオプションによって所定の最低レベルの安全保護を保証することができるが、それでも第三者的犯罪者によってこの支払いオプションが望まれずに悪用されるという危険性が残る。ほぼ全てのシステムは顧客による事前登録も要求しているが、これには数分を要する。その実行に際しては、特に額が少ない場合には努力の方が大きすぎて多くの購入者は急速に忍耐を失う。購入者達は登録を不必要で複雑な時間のかかるものであると考えていて、なによりその個人データを進んで開示することを希望しない。従って、多くの人々は登録プロセスを中止し、こうして提供されるサービスまたは製品に対する興味を失う。
【０００４】
ＥＰ０８７５８７１Ａ２は、トランザクション番号または比較可能なパスワードを使用するデータ伝送システムにおける認証方法を開示していて、第１の工程では、ユーザはデータ入力ユニットを使用して前記データ入力ユニットに対するそのＩＤ及び／またはＩＤ識別子をトランザクション番号または認証コンピュータへのファイルからの比較可能なパスワードの生成または選択の要求と共に送る。第２の工程では、認証コンピュータがトランザクション番号または比較可能なパスワードを生成し、またはファイルからこれを選択する。第３の工程において認証コンピュータは、トランザクション番号または比較可能なパスワードを前記ユーザに属する受信機へ第１の工程とは異なる伝送経路を介して送信する。第４の工程において、ユーザは受信機からトランザクション番号及び比較可能なパスワードを受信し、前記パスワードをデータ入力ユニットへ入力する。第５の工程では、このトランザクション番号または比較可能なパスワードが認証コンピュータへ送り返される。第６の工程では、認証コンピュータは前記トランザクション番号及び比較可能なパスワードの有効性をチェックし、次に第７の工程で前記データ入力ユニットと受信ユニットとの間の接続をセットアップし、または排除する。特にこの文書は、トランザクション番号または比較可能なパスワードを１回だけ使用できること、及びトランザクション番号または比較可能なパスワードの有効性は予め定義されたユーザタイムであること、を教示している。
【０００５】
ＤＥ１００４５９２４Ａ１に開示されているコンピュータネットワーク上の商取引を保護するための方法では、顧客は氏名、住所、移動無線番号及びクレジットカード番号を含む個人データを、支払いサービスプロバイダに対して顧客チェックを実行するサービスプロバイダへ送る。この方法には、顧客チェックを許容するために重要な個人データを送らなければならないという欠点がある。
【０００６】
ＤＥ１０１２５０１７Ａ１に開示されているデータ伝送ネットワークにおけるサービスの提供方法では、複数のサービス利用コンピュータのアクセス機能が、１つのサービス利用コンピュータからベースとして前記サービス利用コンピュータとサービスユーザにより選択されるサービス提供コンピュータとの間の接続を許可するように要求される。
【特許文献１】欧州特許出願公開第０８７５８７１号明細書
【特許文献２】独国特許出願公開第１００４５９２４号明細書
【特許文献３】独国特許出願公開第１０１２５０１７号明細書
【発明の開示】
【発明が解決しようとする課題】
【０００７】
本発明の目的は、取引が安価で容易、迅速かつ多くは匿名で実行されることを可能にする電子商取引を実行するための改良された方法を特定することにある。
【課題を解決するための手段】
【０００８】
請求項１または２に記載された特徴を有する本発明方法は、電子商取引を迅速、容易かつ安全に実行するために使用される。取引は２つの段階（フェーズ）で実行され、第１の段階は顧客の認証及びクレジット（例えば、購入価格＋追加）の予約を含み、第２の段階はサービス提供後に貸付金額の支払い（ポスト）を含む。これにより、非認証または二重支払いの発生防止が保証される。
【０００９】
特に、本発明方法は、複数のサービスプロバイダに対する標準的なトランザクションプロセスを可能にする。アクセスはトランザクションに接続され、よって永久的な登録は不要である。例えば、営利事業及びサービス（デジタル製品、ウェブアクセス、ダウンロード、ニュースサービス、サブスクリプションサービス、付加価値サービス、例えばメンバーズエリアに関するメンバーシップ、オンラインフォーラム、音楽ファイル、ビデオ、ＰＤＦファイル等の任意のファイルダウンロード、電話着信音、ロゴ、壁紙、割引券、エロチックなコンテンツ等）である発明的電子商取引のテクニカルプラットフォームとして、インターネット及び移動無線ネットワークに加え、ＷＡＰ、ＵＭＴＳ及び他の無線及び有線通信経路を使用することが可能である。
【００１０】
プロバイダノードに関しては、関連のサービスプロバイダノードが課金業務を担当するという利点があり、サービスプロバイダノードに関しては、コーディネータノードが管理の複雑さ及び機能の複雑さを取り除いてくれるという利点がある。
【００１１】
さらに、口座番号またはクレジットカード番号等の機密データがネットワーク加入者ノード間で相互に交換される必要はない。第１のネットワーク加入者ノードと第２のネットワーク加入者ノードとの間のトランザクションを手配する、即ち有効化するための入力は、最小限に低減されることが可能である。伝送されるデータレコードは、個々には悪用に適したものではなく、よってデータレコード自体のための保護対策は低レベルに維持することが可能である。独立した認証ポイントを使用する必要はない。トランザクション費用は無視できるほど少なく、そのため本方法は少額決済にとっても適切である。
【００１２】
本発明方法の特に好適な改良点は、全ての登録されたネットワークオペレータを介する署名も、登録もまたはログインもなく、標準的な発注プロセスに基づく可変金額の最初の包括的なオンライン決済システムによってもたらされる。請求金額は、エンドユーザが登録されているサービスプロバイダにより翌月の移動無線請求明細書で、またはプリペイドカードによって回収される。エンドユーザの認証は、ＳＭＳによるトランザクション番号の送出を介して確認される。このオンライン決済システムは、登録が不要であることからまさしくこれらの顧客に魅力的であり、匿名による単純かつ迅速なプロセスを介する、特には約１０．００ユーロまでの少額の複雑でない電子決済を可能にする。他の利点としては、ウェブとは分離されたチャネルを介するＰＩＮの送出による端末の安全な識別、オペレーションが無事に行われた後、及びサービスが提供された場合に限定される金額の引き落とし、不正なＰＩＮが送信された場合に二重の引き落としがないこと、ＰＩＮの有効期限が切れた場合には移動無線金額の引き落としが行われないこと、個人データの非開示、クレジットカード番号の非入力、インターネット上での移動無線番号の暗号化送信、及び決済オペレーションを数分で完了できて顧客は支払いの完了したサービスまたは製品をすぐに使用できるという事実がある。
【００１３】
従属請求項は本発明の各発明主題の有利な進展と改良を包含している。
ある好適な進展によれば、次の工程、即ち、トランザクションの終結が第２のネットワーク加入者ノードにより第３の通信ネットワークを介して第３のネットワーク加入者ノードへ追認される工程と、トランザクションの終結が第３のネットワーク加入者ノードにより第４の通信ネットワークを介して関連のサービスプロバイダノードへ追認される工程とが実行される。
【００１４】
ある好適な進展によれば、識別番号及びトランザクションデータ及び／または入力されたトランザクション番号は、第１のネットワーク加入者ノードから第３のネットワーク加入者ノードへ第２のネットワーク加入者ノードを介して間接的に送信される。
【００１５】
ある好適な進展によれば、前記識別番号及びトランザクション番号及び／または入力されたトランザクション番号は、第１のネットワーク加入者ノードから第３のネットワーク加入者ノードへ直接送信される。これは、第２のネットワーク加入者ノードは識別番号またはトランザクション番号を受信しない、言い替えれば匿名性がより高程度にもたらされる、という追加の利点を有する。
【００１６】
別の好適な進展によれば、前記トランザクションデータは購入価格及びプロダクツ仕様を含む。
別の好適な進展によれば、前記第２の通信ネットワークは移動無線ネットワークまたは地上線電話ネットワークであり、前記識別番号は移動無線番号または地上線電話番号である。
【００１７】
別の好適な進展によれば、前記第１及び／または第３の通信ネットワークはインターネットである。
別の好適な進展によれば、前記第４の通信ネットワークは地上線電話ネットワークである。
【００１８】
別の好適な進展によれば、前記トランザクション番号は一回限りの有効性及び／または有効性の期限を有する。
別の好適な進展によれば、予約の検証または確認もしくはトランザクション番号の検証に失敗すると、前記第３のネットワーク加入者ノードは第３の通信ネットワークを介して第２のネットワーク加入者ノードへエラーメッセージを送信する。
【００１９】
別の好適な進展によれば、前記検証及び識別はテーブルファイルとの電子比較によって実行される。
別の好適な進展によれば、前記確認が所定の時間内に発生しなければ、予約されたクレジットは削除される。
【００２０】
別の好適な進展によれば、前記予約は第１のネットワーク加入者ノードにおける口座の引き落としによって行われ、前記口座は関連のサービスプロバイダノードによって管理される。
【００２１】
別の好適な進展によれば、前記トランザクション番号の検証または確認に失敗すると、前記第３のネットワーク加入者ノードは確認の代わりに第４の通信ネットワークを介して予約されたクレジットを削除すべく関連のサービスプロバイダノードへエラーメッセージを送信する。
【００２２】
別の好適な進展によれば、前記予約は関連のサービスプロバイダノードにおける信用格付けのチェックを基礎として行われる。
別の好適な進展によれば、前記検証及び識別または確認に失敗すると、前記第２のネットワーク加入者ノードは第１のネットワーク加入者ノードに第３のネットワーク加入者ノードからの限定された回数の再入力を要求する。
【００２３】
別の好適な進展によれば、前記トランザクション番号はＳＭＳによって送信される。
別の好適な進展によれば、前記第１のネットワーク加入者ノードはエンドユーザノードであり、前記第２のネットワーク加入者ノードはプロバイダノードであり、前記第３のネットワーク加入者ノードはコーディネータノードであり、前記サービスプロバイダノードは移動無線プロバイダノードである。
【発明を実施するための最良の形態】
【００２４】
図面は本発明の例示的実施形態を示したものであり、以下、これらについてより詳細に説明する。
図面を通じて、同じ部材番号は同じ構成要素または同じ機能を有する構成要素を示す。
【００２５】
図１は、本発明の第１の実施形態によるネットワーク加入者ノード複合体及び交換されるべきデータを示す系統図である。
図１において、部材番号１は第１のネットワーク加入者ノードを示し、この例示的な実施形態では、これはエンドユーザノードである。第１のネットワーク加入者ノード１は、第１の通信ネットワーク（この場合はインターネット）へ接続されるホームコンピュータの形式である第１の端末１ａと、この場合は移動無線ネットワークである第２の通信ネットワークへ接続される携帯電話の形式の第２の端末１ｂと、を有する。
【００２６】
工程Ｓ１において、第１のネットワーク加入者ノード１を使用するエンドユーザは、ホームコンピュータの形式である第１の端末１ａを使用して、この実施形態の場合は例えばそこから携帯電話ロゴを取得することが可能なインターネットプロバイダである第２のネットワーク加入者ノード２におけるインターネットポータルを訪問する。このインターネットセッションにおいて、第１のネットワーク加入者ノード１はその第１の端末１ａを使用して第２のネットワーク加入者ノード２とデータを交換し、特定の携帯電話ロゴの形式であるプロダクツを選別する。これは例えば、第２のネットワーク加入者ノード２のインターネットページ上で証されている通り、３．００ユーロという購入価格を有する。
【００２７】
このようにして、例えば購入価格、商品名及び発注番号であるこの購入取引のための関連トランザクションデータが約定されると、ユーザは工程Ｓ１において第２のネットワーク加入者ノード２のインターネットページ上の「支払いボタン」をクリックする。次に、第２のネットワーク加入者ノード２は顧客に第２の端末１ｂの移動無線番号（識別番号）を入力するように要求する。インターネットの形式である第１の通信ネットワークを介する第１のネットワーク加入者ノード１から第２のネットワーク加入者ノード２へのこの移動無線番号の入力及び送信により工程Ｓ１は完了し、即ち、電子決済オペレーション（トランザクション）が開始される。
【００２８】
これに続く工程Ｓ２において、インターネットプロバイダの形式である第２のネットワーク加入者ノード２は入力された識別番号、即ち移動無線番号及び選択された携帯電話ロゴのプロダクツ指定及び購入価格の形式であるトランザクションデータを、コーディネータノードである、即ち複数のインターネットプロバイダのために電子決済オペレーションを調整する第３のネットワーク加入者ノード３へ送信する。本事例では、工程Ｓ２における上記送信は、インターネットのような第３の通信ネットワークを介して実行される。
【００２９】
工程Ｓ３において、第３のネットワーク加入者ノード３は送信された移動無線番号を検証し、登録されている複数のサービスプロバイダノード４ａ、４ｂ、４ｃ、４ｄから関連のサービスプロバイダノード４ｃを識別する。本例の場合、上記サービスプロバイダノードは、例えばＸ１（４ａ）、Ｘ２（４ｂ）、Ｘ３（４ｃ）、Ｘ４（４ｄ）である移動無線プロバイダノードである。工程Ｓ３における検証及び識別は、電子テーブルファイルによって便宜的に実行される。
【００３０】
工程Ｓ３における、この場合はＸ３サービスプロバイダノード４ｃとの関係性の検証及び識別に成功すると、コーディネータノードの形式である第３のネットワーク加入者ノード３は、後に詳述するようにサービスプロバイダノード４ｃを参照する。工程Ｓ３における検証及び識別に失敗すると、第３のネットワーク加入者ノード３は第２のネットワーク加入者ノード２へ適切なエラーメッセージを送り、次いで上記第２のネットワーク加入者ノードはその電子決済オペレーションを停止し、インターネットを介して第１のネットワーク加入者ノード１へ適切なメッセージを送る。このメッセージは、例えば最終的な停止を表す場合もあれば、有効な移動無線番号の新たな入力を要求するものである場合もある。同様に、第１のネットワーク加入者ノード１によって入力されて第２のネットワーク加入者ノード２から第３のネットワーク加入者ノード３へ送信された移動無線番号は、第３のネットワーク加入者ノード３に登録されていないサービスプロバイダノードに属することも考えられる。この場合も、上記移動無線番号は有効ではあるが、第３のネットワーク加入者ノード３によって調整され得ないことから、適切なエラーメッセージが生成されることになる。
【００３１】
工程Ｓ３における検証及び識別に成功した場合、第３のネットワーク加入者は工程Ｓ４においてデータを、例えば有線専用回線である第４の通信ネットワークを介して、識別された関連のサービスプロバイダノード４ｃへ転送する。関連のサービスプロバイダノード４ｃは次に工程Ｓ４ａにおいて、移動無線番号の有効性及び登録されている第１のネットワーク加入者１のプリペイド口座のその信用格付けを予め決められた基準に従ってチェックする。プリペイド口座が適切な信用格付けを有していれば、関連のサービスプロバイダ４ｃは第３のネットワーク加入者ノード３から、及びサービスプロバイダノード４ｃから送信された購入価格プラス適当な追加分に対応するクレジットを第２のネットワーク加入者ノード２を受益者として、かつ登録されている第１のネットワーク加入者ノード１の借方記入によって予約し、工程Ｓ５において、専用回線の形式である第４の通信ネットワークを介して第３のネットワーク加入者ノード３へこの予約を追認する。そうでなければ、第４の通信ネットワークを介して第３のネットワーク加入者ノード３へ適切なエラーメッセージを送ることが可能であり、ネットワーク加入者ノード３はこのエラーメッセージを第２のネットワーク加入者ノード２へ送る。第２のネットワーク加入者ノード２は次に電子決済オペレーションを停止し、インターネットを介して第１の加入者ノード１へ適切なメッセージを送る。
【００３２】
工程Ｓ６において、第３のネットワーク加入者ノード３は、工程Ｓ５における肯定追認に続いて３０分の時間制限を有する一回限りのトランザクション番号を生成し、このトランザクション番号をサービスプロバイダノード４ｃの移動無線ネットワークの形式である第２の通信ネットワークを介して第１のネットワーク加入者ノード１における移動無線電話の形式である第２の端末１ｂへ、特にはＳＭＳ（ショートメッセージサービス）メッセージの形式で送信する。
【００３３】
ＳＭＳメッセージ形式でのトランザクション番号の受信に続いて、第１のネットワーク加入者ノード１のユーザは工程Ｓ７において、送信されたトランザクション番号を例えばホームコンピュータに属するキーボードを使用して第１の端末１ａへ入力し、このトランザクション番号をインターネットの形式である第１の通信ネットワークを介して第２のネットワーク加入者ノード２へ送信する。
【００３４】
工程Ｓ８において、第２の加入者ノード２は、第１の加入者ノード１によって送信されたトランザクション番号を第３の通信ネットワークを介して第３のネットワーク加入者ノード３へ送る。このようにして第２のネットワーク加入者２から第３のネットワーク加入者３へ送信されたトランザクション番号は、第３のネットワーク加入者ノード３によって先に生成されてその間格納されているトランザクション番号との電子比較によって検証される。
【００３５】
工程Ｓ８またはＳ７において送信されたトランザクション番号が不正であった結果、工程Ｓ９が失敗に終われば、または設定された制限時間が過ぎれば、エラーメッセージが第２のネットワーク加入者ノード２及び関連のサービスプロバイダノード４ｃへ送られる。
【００３６】
工程Ｓ９における検証に成功すれば、第３のネットワーク加入者３は関連のサービスプロバイダノード４ｃによって予約されたクレジットを第２のネットワーク加入者ノード２へ追認し、こうして工程Ｓ１０で第３の通信ネットワークを介してトランザクションの継続を有効化する。発注された携帯電話ロゴの形式であるプロダクツは、これで第２のネットワーク加入者ノード２から第１のネットワーク加入者ノード１へ、例えばｅメールによって、またはＳＭＳメッセージもしくはメールによって送出されることが可能である。
【００３７】
送出に続いて、第２のネットワーク加入者ノード２は工程Ｓ１１において、第３の通信ネットワークを介して第３のネットワーク加入者ノード３へトランザクションの終結を追認し、次いで第３のネットワーク加入者ノード３は、第４の通信ネットワークにより関連のサービスプロバイダノード４ｃへトランザクションの終結を追認する。
【００３８】
最後に工程Ｓ１３では、購入価格プラス追加分として第１のネットワーク加入者１の口座に予約されていた第２のネットワーク加入者ノード２からのクレジットが、後の移動無線請求明細書またはプリペイドカードによって第１のネットワーク加入者ノード１へ請求される。
【００３９】
本実施形態では、第２のネットワーク加入者ノード２から第３のネットワーク加入者ノード３への支払い請求は購入価格の支払いと引き換えに割譲され、次いで第３のネットワーク加入者ノード３からサービスプロバイダノード４ｃへの支払い請求が購入価格プラス第１の追加分の支払いと引き換えに割譲される。従って、第２の加入者ノード２はサービスプロバイダノード４ｃに対して匿名のままである。
【００４０】
図２は、本発明の第２の実施形態によるネットワーク加入者ノード複合体及び交換されるべきデータを示す系統図である。
図２における第２の実施形態のシステム設計及びネットワーキングは、図１に示す第１の実施形態のそれに相当する。工程Ｓ１、Ｓ２及びＳ３も、同様に実行される。
【００４１】
第１の実施形態とは異なり、第２の実施形態における第２のネットワーク加入者ノード２は関連のサービスプロバイダノードとしてＸ１サービスプロバイダノード４ａを識別し、工程Ｓ４’において、検証された識別番号及びトランザクションデータを専用回線の形式である第４の通信ネットワークを介してサービスプロバイダノード４ａへ送信する。
【００４２】
サービスプロバイダノード４ａにおける第１のネットワーク加入者１の有効性及びプリペイド口座の信用格付けに関するチェックに続いて、工程Ｓ４’では、クレジットが第２のネットワーク加入者ノードを受益者として第１のネットワーク加入者ノードの借方記入により予約される。予約に成功すれば、これは工程Ｓ５’において第４の通信ネットワークを介して第３のネットワーク加入者ノード３へ送信される。
【００４３】
但し、先に説明した第１の実施形態とは異なり、本例示的実施形態における関連のサービスプロバイダノード４ａは、工程Ｓ６’において自らトランザクション番号を生成し、これを、第１のサービスプロバイダノード４ａに対応する移動無線ネットワークである第２の通信ネットワークを介して、第１のネットワーク加入者ノードにおける携帯電話の形式である第２の端末１ｂへ送信する。
【００４４】
次に、第１の実施形態と同様の方法で工程Ｓ７が実行され、送信されたトランザクション番号が第１のネットワーク加入者ノード１における第１の端末１ａへ入力され、入力されたトランザクション番号が第１の通信ネットワークを介して第２のネットワーク加入者ノード２へ送信される。さらに工程Ｓ８’ａでは、送信されたトランザクション番号が第２のネットワーク加入者ノード２から第３の通信ネットワークを介して第３のネットワーク加入者ノード３へ転送される。
【００４５】
しかしながら、この例示的実施形態における第３のネットワーク加入者ノード３は、送信されたトランザクション番号を知らない、または生成していないことからこれを検証せず、工程Ｓ８’ｂにおいてこれを第４の通信ネットワークを介して関連のサービスプロバイダノード４ａへ単に転送する。
【００４６】
この例示的実施形態では、送信されたトランザクション番号は、関連のサービスプロバイダノード４ａにより、これを関連のサービスプロバイダノード４ａが先に生成したトランザクション番号と比較することによって検証される。
【００４７】
検証が成功した場合、検証されたトランザクション番号は、工程Ｓ１０’ａにおいて第３のネットワーク加入者ノード３へ追認され、工程Ｓ１０’ｂにおいて、第３のネットワーク加入者ノード３は先の実施形態における工程Ｓ１０と同様の方法で第２のネットワーク加入者ノード２へ追認を送る。
【００４８】
工程Ｓ１０’ｂにおいて追認が受信されると、トランザクションオペレーションが第２の加入者ノードによって継続され、即ち、発注された携帯電話ロゴが第１のネットワーク加入者ノード１へ送出される。
【００４９】
次に、工程Ｓ１１において、送出に関する第２のネットワーク加入者ノード２からの追認が第１の実施形態と同様の方法で第３のネットワーク加入者ノード３へ送られ、工程Ｓ１２’において、トランザクション終結の追認が第３のネットワーク加入者ノード３から関連のサービスプロバイダノード４ａへ送られる。
【００５０】
最後に、第１の実施形態の場合と同様に、工程Ｓ１３’において、第１のネットワーク加入者ノード１の借方記入により第２のネットワーク加入者ノード２へ貸方記入された金額が移動無線請求明細書またはプリペイドカードにおいて第１のネットワーク加入者ノード１から引き落とされる。
【００５１】
上記第２の実施形態においても、第２のネットワーク加入者ノード２から第３のネットワーク加入者ノード３への支払い請求は購入価格の支払いと引き換えに割譲され、次いで第３のネットワーク加入者ノード３からサービスプロバイダノード４ｃへの支払い請求が購入価格プラス第１の追加分の支払いと引き換えに割譲される。
【００５２】
図３は、本発明の第３の実施形態によるネットワーク加入者ノード複合体及び交換されるべきデータを示す系統図である。
この第３の実施形態では、第１の実施形態とは異なり、工程Ｓ１’において、識別番号及びトランザクションデータが第１のネットワーク加入者ノード１から第３のネットワーク加入者ノード３へ、また入力されたトランザクション番号も第１のネットワーク加入者ノード１から第３のネットワーク加入者ノード３へ直接、第２のネットワーク加入者ノードの介在なしに送信される。
【００５３】
例えば購入価格、商品名及び発注番号である上記購入取引のための関連トランザクションデータが約定されると、ユーザは工程Ｓ１において第２のネットワーク加入者ノード２のインターネットページ上の「支払いボタン」をクリックし、これにより、トランザクションデータが既に転送されていて第１のネットワーク加入者ノード１に第２の端末１ｂの移動無線番号（識別番号）を入力するように要求している第３のネットワーク加入者ノード３からのインターネットページマスクが開く。インターネットの形式である第１の通信ネットワークを介する第１のネットワーク加入者ノード１から第３のネットワーク加入者ノード３へのこの移動無線番号及びトランザクションデータの入力及び送信により工程Ｓ１’は完了し、即ち、電子決済オペレーション（トランザクション）が開始される。
【００５４】
同様に、工程Ｓ７’では、先に送信されたトランザクション番号を第３のネットワーク加入者ノード３のインターネットページマスクへ入力する要求が行われ、次いでこのトランザクション番号はインターネットの形式である第１の通信ネットワークを介して送信され、これにより工程Ｓ７’が終結する。
【００５５】
他の点については、第１及び第３の実施形態は一致する。
以上、好適な例示的実施形態を参照して本発明を説明してきたが、本発明はこれらに限定されず、広範な方法で変更されることが可能である。
【００５６】
上述の例では、電子通信ネットワークはインターネット及び移動無線ネットワークであるが、本発明は当然、所望される任意の有線または無線電子通信ネットワークに適用可能である。また特に、ネットワーク加入者ノード間のポイントツーポイント接続は絶対に必要なものではなく、任意の物理的接続が可能である。さらに、データレコードという用語は一般的なもの、すなわち、任意の通常の型に属するデータとして理解されることが意図されている。さらに、当然ながら本発明は決済オペレーションに限定されず、任意のトランザクション、即ちオペレーションに適用可能である。
【００５７】
第２の実施形態における、第１のネットワーク加入者ノードから第３のネットワーク加入者ノードへの識別番号及びトランザクションデータの送信及び／または入力されたトランザクション番号の送信は、当然ながら、第２のネットワーク加入者ノードによる間接的実行に限らず、直接実行されることも可能である。
【図面の簡単な説明】
【００５８】
【図１】本発明の第１の実施形態によるネットワーク加入者ノード複合体及び交換されるべきデータを示す系統図である。
【図２】本発明の第２の実施形態によるネットワーク加入者ノード複合体及び交換されるべきデータを示す系統図である。
【図３】本発明の第３の実施形態によるネットワーク加入者ノード複合体及び交換されるべきデータを示す系統図である。
【符号の説明】
【００５９】
１…第１のネットワーク加入者ノード、エンドユーザ、１ａ…コンピュータ、１ｂ…携帯電話、２…第２のネットワーク加入者ノード、プロバイダ、３…第３のネットワーク加入者ノード、コーディネータ、４ａ−ｄ…サービスプロバイダノード、移動無線プロバイダ
【図１】
2007506168.tif 000003
【図２】
2007506168.tif 000004
【図３】
2007506168.tif 000005
【国際調査報告】
2007506168.tif 000006
2007506168.tif 000007
2007506168.tif 000008
2007506168.tif 000009
2007506168.tif 000010
2007506168.tif 000011